(57)【特許請求の範囲】
【請求項１】
電解槽に水を流入させ、電解槽内に配置された陽極及び陰極の電極間に電圧を印加して水を電気分解して電解水を生成することができ且つ生成する電解水の種類を選択することができる複数のモードを有する電解水生成装置において、選択されたモードをそれぞれ表示する複数のモードに応じた複数の表示部を設け、該複数の表示部が、モード選択操作を行うための光を透過させる押圧操作部の内側にランプとスイッチ素子とを内蔵したスイッチ一体型のものであり、いずれかの表示部を押すとスイッチ素子が操作されて当該表示部に対応するモードが選択され、選択されたモードで得られた水が適切に生成されているか否かを判断するための信号を発信する水質検出手段と、水質検出手段からの信号により得られる水が適切に生成されているか否かを判断する制御部と、制御部により適した水と判断された時と不適の水と判断された時とで選択された表示部のランプによる表示を変更することを知らせる告知手段を有することを特徴とする電解水生成装置。
【請求項２】
水質検出手段が流量センサであって、制御部により水質検出手段からの信号により規定内の流量領域か否かを判別し、否の信号が入力された時に過剰流量域である旨を表示する異常表示部にて表示することにより知らしめる告知手段を有することを特徴とする請求項１記載の電解水生成装置。
【請求項３】
水質検出手段が流量センサであって、所定流量範囲で一定時間以上流れた時に制御部により適した水であると判断し、それ以外は不適と判断するようにして成ることを特徴とする請求項１又は請求項２記載の電解水生成装置。
【請求項４】
前記告知手段が、前記ランプによる表示と、不適な水の時に警告音を発生させるようにした警告音発生部とよりなることを特徴とする請求項１乃至請求項３のいずれかに記載の電解水生成装置。
【請求項５】
前記表示部が単一色のランプを有し、前記制御部が適した水であるか不適な水であるかを異なる発光状態で表示するように制御して成ることを特徴とする請求項１乃至請求項４のいずれかに記載の電解水生成装置。
【請求項６】
前記表示部が、適した水であることを表示する第１のランプと、不適な水であることを表示する第２のランプとを有し、それぞれのランプの色を異なるものとし、適した水と判断された時に第１のランプを、不適な水と判断された時に第２のランプを光らせるように制御することを特徴とする請求項１乃至請求項４のいずれかに記載の電解水生成装置。
【請求項７】
前記表示部は、複数の異なる色を発するランプを有し、前記制御部は前記ランプの単一点灯又は複数のランプの同時点灯により適した水である場合と不適な水である場合とで光の色を異なるように制御することを特徴とする請求項１乃至請求項４、請求項６のいずれかに記載の電解水生成装置。
【請求項８】
前記表示部は、電気分解した時とは極性を反転させて電極を洗浄するモード時に表示する電極洗浄中ランプを兼用していることを特徴とする請求項１乃至請求項７のいずれかに記載の電解水生成装置。
【発明の詳細な説明】
【０００１】
【発明の属する技術分野】
本発明は、水を電気分解することにより電解水を生成することができる電解水生成装置に関し、特に、表示部の構成に関するものである。
【０００２】
【従来の技術】
従来から、電解水生成装置としては、水道水等の原水を浄化槽で浄化した後、電解質添加部に供給してカルシウム塩等の電解質を添加し、更に電解槽に供給して電解して、酸性イオン水やアルカリイオン水を装置外部に吐出するものがある。
【０００３】
このような従来から一般的に行われている電解水生成装置における主な表示操作部としては、選択されたモードを表示するランプやスイッチ、電極洗浄中を表示するランプ、適した水か不適な水かを表示するランプ等があり、これらはそれぞれ単独に構成されている。
【０００４】
しかしながら、上記のような表示操作部の場合、得ようとする情報が個々に単独で点在しているため、使用者にとって電解水が適切に生成されているかの認識がしにくく、見落としや誤認識するといった問題があった。
【０００５】
【発明が解決しようとする課題】
本発明は上記の点に鑑みてなされたものであり、得ようとする情報の認識性を高め、電解水が適切に生成されているかどうかが容易に認識でき、使用性が向上する電解水生成装置を提供することを課題とするものである。
【０００６】
【課題を解決するための手段】
上記課題を解決するために本発明に係る電解水生成装置は、電解槽６２に水を流入させ、電解槽６２内に配置された陽極６６及び陰極６７の電極間に電圧を印加して水を電気分解して電解水を生成することができ且つ生成する電解水の種類を選択することができる複数のモードを有する電解水生成装置において、選択されたモードをそれぞれ表示する複数のモードに応じた複数の表示部４０を設け、該複数の表示部４０が、モード選択操作を行うための光を透過させる押圧操作部４２の内側にランプ４４とスイッチ素子４５とを内蔵したスイッチ一体型のものであり、いずれかの表示部４０を押すとスイッチ素子４５が操作されて当該表示部４０に対応するモードが選択され、選択されたモードで得られた水が適切に生成されているか否かを判断するための信号を発信する水質検出手段と、水質検出手段からの信号により得られる水が適切に生成されているか否かを判断する制御部４９と、制御部４９により適した水と判断された時と不適の水と判断された時とで選択された表示部４０のランプ４４による表示を変更することを知らせる告知手段を有することを特徴とするものである。このような構成とすることで、選択されたモードを表示する表示部４０で適した水であるか不適な水であるかの告知ができて、使用者は一目で容易に適した水であるか不適な水であるかの認識ができることになる。特に、使用者は複数のモードに応じた複数の表示部４０のいずれかを選択して押圧操作部４２を操作してモードの選択操作を行うのであるが、このモードの選択操作を行う押圧操作部４２そのものから光の表示により適した水であるか不適な水であるかの認識ができるものである。また、適した水であるか不適な水であるかを告知する場所が限定され、より一目で容易に適した水であるか不適な水であるかの判断ができるものである。
【０００８】
また、水質検出手段が流量センサ６０であって、制御部４９により水質検出手段からの信号により規定内の流量領域か否かを判別し、否の信号が入力された時に過剰流量域である旨を表示する異常表示部にて表示することにより知らしめる告知手段を有することが好ましい。このように、電解水生成装置１に流れ込む流量領域が規定内であるかどうかを見て適した水であるか不適な水であるかの判断をするので、過剰流量時での電解性能不足を告知することができるものである。
【００１０】
また、水質検出手段が流量センサ６０であって、所定流量範囲で一定時間以上流れた時に制御部４９により適した水であると判断し、それ以外は不適と判断するようにすることが好ましい。このような構成とすることで、電解水生成装置１に流れ込んだ総流量が一定量以上であるかどうかを見て判断するので、電解水生成装置１内に滞留した水と新しく流れ込んだ水とが入れ替わった場合にのみ、適した水として認識することができるものである。
【００１１】
また、前記告知手段が、前記ランプによる表示と、不適な水の時に警告音を発生させるようにした警告音発生部とよりなることが好ましい。このような構成とすることで、ランプの表示による適した水であるか不適な水であるかの認識に加えて音によっても認識ができるものである。
【００１２】
また、前記表示部４０が単一色のランプを有し、前記制御部４９が適した水であるか不適な水であるかを異なる発光状態で表示するように制御することが好ましい。このような構成とすることで、適した水であるか不適な水であるかの表示が発光状態によって異なるので一目で認識することができるものである。
【００１３】
また、前記表示部４０が、適した水であることを表示する第１のランプと、不適な水であることを表示する第２のランプとを有し、それぞれのランプの色を異なるものとし、適した水と判断された時に第１のランプを、不適な水と判断された時に第２のランプを光らせるように制御することが好ましい。このような構成とすることで、適した水であるか不適な水であるかの表示がランプの色により異なるので一目で認識できるものである。
【００１４】
また、前記表示部４０は、複数の異なる色を発するランプを有し、前記制御部４９は前記ランプの単一点灯又は複数のランプの同時点灯により適した水である場合と不適な水である場合とで光の色を異なるように制御することが好ましい。このような構成とすることで、適した水であるか不適な水であるかの表示がランプの数以上の幾種類もの色により表示することができ、不適な水の状態を更に細かく識別することも可能となるものである。
【００１５】
また、前記表示部４０は、電気分解した時とは極性を反転させて電極を洗浄するモード時に表示する電極洗浄中ランプ４６を兼用していることが好ましい。このような構成とすることで、適した水であるか不適な水であるかの判定に加えて、電極洗浄中であることの認識も同表示で認識できるものである。
【００１６】
【発明の実施の形態】
以下、本発明を添付図面に示す実施形態に基づいて説明する。
【００１７】
本発明に係る電解水生成装置１の一例として、以下、電解水生成装置１をアルカリイオン整水器として構成した例で説明する。
【００１８】
図４に示す電解水生成装置１の装置上面には、使用者が浄水、生成するアルカリ性イオン水、酸性イオン水の各モードの設定等の指令を入力及び表示をするための表示操作部２１が形成されている。また、電解水生成装置１の上部から、生成されたアルカリ性イオン水が吐出される吐水パイプ３が引き出されて設けられている。更に、電解水生成装置１上面には、電解質添加部５０を開閉する添加筒キャップ５３が露出して配設されている。
【００１９】
図１に電解水生成装置１の配管系統図を示す。
【００２０】
先ず、電解水生成装置１の構成について説明する。図１に示すように電解水生成装置１には、浄水カートリッジ４、流量センサ６０、電解質添加部５０及び電解槽６２が内装されている。
【００２１】
浄水カートリッジ４は、導入された水を浄化するものであり、活性炭やイオン交換樹脂等の浄化剤６が充填された吸着浄化槽１５と、吸着浄化槽１５よりも下流側に配設され、中空糸膜等の濾過膜５が内装された濾過槽１６とから構成されている。
【００２２】
浄水カートリッジ４の吸着浄化槽１５の上流側端部（図中では下端部）には、浄水カートリッジ４に供給される水の流入口１８が形成されており、濾過槽１６の下流側端部（図中では上端部）には、浄水カートリッジ４から導出される水の流出口１９が形成されている。
【００２３】
電解質添加部５０は、円筒形状の外筒５１の内部に、電解質を保持する内筒５２が配設されており、この内筒５２内には塩化カルシウム、乳酸カルシウム、グリセロリン酸カルシウム等のカルシウム塩や、塩化ナトリウム、塩化カリウム等の電解質が充填される。また外筒５１の上部開口には添加筒キャップ５３が着脱自在に取付けられている。ここで、外筒５１と添加筒キャップ５３とは、Ｏリングを介して嵌合されて水密構造となっており、また添加筒キャップ５３の嵌合を脱離して内筒５２を取り出し、電解質の補充ができるようになっている。
【００２４】
電解質添加部５０の外筒５１の下端面には、電解質添加部５０に供給される水の流入口５４が形成されている。また電解質添加部５０の外筒５１の側面には、電解質添加部５０から導出される水の流出口として上部流出口９３と下部流出口９２とが形成されている。ここで上部流出口９３は外筒５１の側面の上部に、下部流出口９２は外筒５１の側面の最下端にそれぞれ形成されており、上部流出口９３の開口面積は、下部流出口９２の開口面積よりも大きくなるように形成されている。この上部流出口９３と下部流出口９２の開口面積の比は適宜設定されるが、例えば下部流出口９２の開口面積を上部流出口９３の開口面積の０.１倍とするものである。
【００２５】
電解槽６２の内部は、容器内部が電解隔膜６３によって陽極室６４と陰極室６５に仕切られており、陽極室６４には陽極６６、陰極室６５には陰極６７が配置されている。ここで、図示の例では、陽極室６４は容器内奥に形成されると共に、陰極室６５は陽極室６４の周りを取り囲むように形成されており、陰極６７は電解隔膜６３を介して陽極６６を取り囲むように円筒状に形成されている。従って、陰極室６５は電解槽６２の容器の外装と電解隔膜６３とによって囲まれた空間で形成され、一方、陽極室６４は電解隔膜６３のみによって囲まれた空間にて形成されている。この陰極６７及び陽極６６は、この電極６６，６７間に電圧を印加するための電源に接続されている。
【００２６】
電解槽６２の容器の外装には、水の排出口として排出口７０が形成されており、排出口７０は、容器の上端面に、電解隔膜６３にて形成された連通路２３を介して陽極室６４と連通するように形成されている。またこの容器の外装には、陰極室６５から供給される水の流出口６９が、容器の上端面に陰極室６５と流路を介さず直接連通するように形成されており、この流出口６９は、空気取入口２２を兼ねるものとして形成されている。
【００２７】
更にこの電解槽６２の容器の外装には、電解槽６２へ供給される水の流入口として、流入口６８が形成されている。この流入口６８は電解槽６２の容器の側面下部に形成されており、陰極室６５と陽極室６４の双方に連通している。ここで、流入口６８はその開口の上方側において、電解隔膜６３にて構成される連通路２４を介して陽極室６４と連通し、開口の下方側において陰極室６５と流路を介さず直接連通している。
【００２８】
次に、電解水生成装置１に関する配管構成を説明する。
【００２９】
水道の蛇口等の給水栓７と、電解水生成装置１の給水口２とは、給水ホース８によって接続されている。
【００３０】
電解水生成装置１内部においては、給水口２から導出された取水流路９は、浄水カートリッジ４の吸着浄化槽１５の下部に流入口１８にて接続されている。
【００３１】
浄水カートリッジ４の濾過槽１６の流出口１９から導出された給水流路１７の配管途中には、給水流路１７における水の流量を測定する流量センサ６０が配設されている。この流量センサ６０は、例えばバネ力によって水流とは反対方向の回動力が付勢された回動自在な羽体と、この羽体が給水流路１７を流通する水の流圧によってバネ力に抗して回動された際の、その回動角度を測定する角度センサとによって構成されたものを用いることができる。給水流路１７の下流側は、給水主流路１４と排水流路１０とに分岐されている。
【００３２】
排水流路１０の下流側は電解質添加部５０内に溜まった水を排水する排水弁３０に接続されており、排水弁３０の下流側には酸性水排出管７２に接続されたバイパス流路１２０と排出管７５に分岐されている。
【００３３】
また、給水主流路１４の下流側は電解質添加部５０の流入口５４に接続されている。
【００３４】
電解質添加部５０の上部流出口９３からは、主供給路１３が下方に向けて導出され、また電解質添加部５０の下部流出口９２からは副供給路１２が側方に向けて略水平に導出されている。主供給路１３と副供給路１２の流方向と直交する断面積の関係は、上部流出口９３と下部流出口９２との開口面積の関係と同様に、主供給路１３の方が副供給路１２よりも大きくなるように形成されている。この主供給路１３と副供給路１２は下流側において合流し、合流されて形成された添加水供給流路１１の下流側は下方に導出されて、電解槽６２の流入口６８に接続されている。
【００３５】
電解槽６２の上部流出口６９からは吐水パイプ３が上方に向けて導出されており、この吐水パイプ３は装置外部に導出され、その下流側の先端は外部に向けて開口されている。また電解槽６２の排出口７０からは酸性水排出管７２が上方から側方、更に下方に向けて導出されており、更にこの酸性水排出管７２は装置外部に導出され、その先端は外部に向けて開口されている。
【００３６】
次に、本発明の電解水生成装置１の表示操作部２１の構成について説明する。
【００３７】
表示操作部２１は図２に示すように、選択したモードを示すように、選択モードを表示する表示部４０や電極洗浄中を表示する電極洗浄中ランプ４６等により構成してある。表示部４０は図３に示すように、光を透過させる透明な被膜４１と、半透明の樹脂製の押圧操作部４２と、押圧操作部４２を受け、ランプ４４の光を反射して均一表示させるためのすり鉢状をした駆動部４３と、その内側にランプ４４とスイッチ素子４５とを内蔵したスイッチ一体型の構造となっている。
【００３８】
添付図面に示す実施形態において、表示部４０としては複数のモードに応じて複数個設けてあり、アルカリイオン水のレベル１生成モード用の表示部４０ａ１、アルカリイオン水のレベル２生成モード用の表示部４０ａ２、アルカリイオン水のレベル３生成モード用の表示部４０ａ３、強アルカリイオン水生成モード用の表示部４０ａ４、弱酸性イオン水生成モード用の表示部４０ａ５、強酸性イオン水生成モード用の表示部４０ａ６、浄水モード用の表示部４０ａ７があり、それぞれの表示部４０（４０ａ１、４０ａ２、４０ａ３、４０ａ４、４０ａ５、４０ａ６、４０ａ７）がそれぞれ上記のようにスイッチを兼ねているので、いずれかの表示部４０を押すと（つまりいずれかの押圧操作部４２を押すと）、押された押圧操作部４２を受けている駆動部４３が撓み、駆動部４３が撓むことでスイッチ素子４５が操作されることでそのモードが選択されるようになっている。
【００３９】
次に、本発明の電解水生成装置１の使用方法と、表示部４０の状態移行について説明する。
【００４０】
先ず、アルカリイオン水のレベル１生成モードにて電気分解を行う場合の動作を、図１の配管系統図、図５のブロック図、及び図６のフローチャートに基づいて説明する。なお、図１において水の流れを実線矢印で示して表示してある。
【００４１】
まず使用者は装置上面の表示操作部２１上のアルカリイオン水のレベル１の表示部４０ａ１を押してモードを選択する。この時、モード選択のために操作された上記表示部４０ａ１は通常点灯状態の半分の輝度で点灯する（以後、この状態を半点灯と呼ぶ）。同様に他の表示部４０を押して他のモードを選択した場合も当該表示部４０が半点灯するようになっている。
【００４２】
上記のように表示部４０を押してモード選択をすると、給水栓７が解放して水道水等の原水を給水ホース８を通じて電解水生成装置１の給水口２へ供給する。
【００４３】
このとき、給水口２に送り込まれた原水は、取水流路９を通じて流入口１８から浄水カートリッジ４へ送られ、吸着浄化槽１５の浄化剤６にて、残留塩素、かび臭、トリハロメタン、農薬等が除去される。続いて濾過槽１６の濾過膜５を通過することにより濾過されて微細な濁りや細菌等が除去される。このように原水を、浄水カートリッジ４内を通過させて濾過することにより、原水が浄水処理されて浄水が生成される。
【００４４】
生成された浄水は、流出口１９から給水流路１７に流出するが、この給水流路１７を流通する際に流量センサ６０を通過する。
【００４５】
この流量センサ６０から信号が送られ、制御部４９にて給水流路１７における浄水の通水が検知されると、陽極６７、陰極６６間に電圧を印加し、電気分解を開始する。同時に、表示部４０（この場合表示部４０ａ１）は半点灯の状態から点滅状態に切り替わり、まだ電解水が適切に生成されていないことを告知する。
【００４６】
給水流路１７を流通する浄水は、給水主流路１４を通じて流入口５４から電解質添加部５０に供給される。
【００４７】
電解質添加部５０に供給された浄水には、溶解した電解質が付与される。電解質を付与された水は、上部流出口９３から主供給路１３を介して、添加水供給流路１１に流入し、流入口６８から電解槽６２の陰極室６５及び陽極室６４に供給される。このとき電解質添加部５０内には、上部流出口９３の形成位置まで水が供給された後にこの水が主として上部流出口９３から流出されることとなり、電解質添加部５０内にてある程度滞留して電解質が充分に付与された水が電解質添加部５０から流出される。
【００４８】
このとき、浄水カートリッジ４内を通過した浄水は電解質添加部５０を通過してから電解槽６２へ供給されることとなり、電解槽６２に供給される水中の電解質濃度が充分に確保されることとなって、電解槽６２における電気分解が効率よく行なわれることとなる。
【００４９】
そして、電気分解によって、陰極室６５でアルカリ性イオン水が生成されると共に、陽極室６４で酸性イオン水が生成される。陰極室６５で生成されたアルカリ性イオン水は、流出口６９から吐水パイプ３に流入し、装置外部に導出される。一方、陽極室６４で生成された酸性イオン水は、排出口７０を通じて酸性水排出管７２から装置外に排出されるものである。
【００５０】
通水が検知され、電気分解を開始してから所定流量範囲で一定時間、すなわち一定総流量が流れるまでは、電解槽６２内の水が新たに流入した水と入れ替わらないため、不適な水と判断して表示部４０ａ１を点滅させる。
【００５１】
通水が検知されてから所定流量範囲で一定時間経過後、つまり、一定総流量が流れると、電解槽６２内の水が新たに流入した水と入れ替り、適した水の状態となるので、この適した水の状態となった場合は表示部４０ａ１は点灯に変わり、使用者は容易に適した水が出来たことが認識できるものである。
【００５２】
つまり、本実施形態においては、通水の検知から一定総流量に未だ達していないか、一定総流量に達したかは流量センサ６０により知ることができ、この流量センサ６０による流量検出信号に基づいて制御部４９により適した水か適していない水かを判断して表示部４０の表示を変更して告知するのであり、したがって、本実施形態においては流量センサ６０が水質検出手段を構成している。
【００５３】
上記実施形態の他に、図示を省略しているが、表示部４０内に適した水であることを表示する第１のランプと、不適な水であることを表示する第２のランプを設けてもよく、この実施形態においては、不適な水であると判断されている間は第２のランプを点灯して表示し、適した水と判断された場合には第１のランプを点灯するようにしてもよいものである。
【００５４】
また、複数の異なる色のランプを表示部４０内に設けた場合には、不適な水の時と、適した水の時とで単一の点灯又は複数のランプの同時点灯によりランプの色を自在に可変して知らせるようにしてもよいものである。
【００５５】
また、警告音を発生する警告音発生部４８を設けて、不適な水の時に警告音を発生させて不適な水であることを音によっても知らせるようにしてもよく、この場合には、使用者は前述のような表示部４０による表示に加えて更に警告音によっても不適であることが認識でき、より見落としなく誤認識を無くすことができるものである。
【００５６】
また、適した水の状態から、電解水生成装置に流入する水の量が増加して過剰流量となった場合、電気分解の能力が限界に達し、所定のｐＨに達しない場合がある。この状態になったことを流量センサ６０からの信号により制御部４９が判別した場合には、表示部４０の表示を通常の点滅状態からより早く点滅させ（この状態を早点滅と呼ぶ）、過剰流量であることを知らしめ、使用者に電解水生成装置１内に流入する水の流量を所定流量内になるように調節してもらうように告知する。
【００５７】
この実施形態の他に、表示部４０内に適した水であることを表示する第１のランプと、不適な水であることを表示する第２のランプを設けた実施形態においては、過剰流量により不適な水であると判断されている間、第２のランプを表示し、適した水と判断された時には第１のランプを表示して知らしめるようにしてもよい。
【００５８】
また、複数の異なる色のランプを有している場合は、過剰流量により不適な水と判定された場合と、適した水の時とで単一の点灯又は複数のランプの同時点灯によりランプの色を自在に可変して知らせるようにしてもよいものである。
【００５９】
また、警告音発生部４８を設けた場合は、過剰流量により不適と判断されている間、警告音を発して知らしめるようにしてもよいものである。
【００６０】
なお、上記の動作において、電解槽６２において印加される電圧の向きを逆向きにすると、陰極室６５が陽極室としての機能を果たして酸性イオン水が生成されると共に、陽極室６４が陰極室としての機能を果たしてアルカリ性イオン水が生成される。このときは酸性水が流出口６９から吐水パイプ３に流入して電解水生成装置１外部に導出され、アルカリ性イオン水が排出口７０を通じて酸性水排出管７２から電解水生成装置１外に排出されるものである。
【００６１】
次に、電解水生成装置１内への水の供給を停止した場合の動作について説明する。
【００６２】
使用者が給水栓７を閉止することにより電解水生成装置１への給水が停止されると、給水流路１７における水の流通が停止されて、流量センサ６０が止水状態になり、その信号が停止するため、制御部４９は止水であることを判断する。このとき、必要に応じて電極６６,６７間に逆方向の電圧が印加されて電極６６,６７の表面のスケールが除去された後、電解槽６２における電極６６,６７間への電圧の印加が停止される。
【００６３】
逆電印加と同時に、表示部４０はすべて消灯し、電極洗浄中である旨を表示する電極洗浄中ランプ４６が点灯する。
【００６４】
その後、装置内の浄水カートリッジ４から下流側の流水路、電解質添加部５０、電解槽６２に滞留している滞留水の排水が排水弁３０を開くことにより開始される。排水が完了した後、電極洗浄中ランプ４６が消灯し、表示部４０（実施形態では表示部４０ａ１）は半点灯の状態となる。
【００６５】
この実施形態の他に、表示部４０の中に電極洗浄中ランプ４６を配置して表示部４０（実施形態では表示部４０ａ１）で電極洗浄中であることを告知するようにしてもよい。
【００６６】
また、電極洗浄中及び電極洗浄終了後所定時間以内に再度、電解水生成装置１に水を流入した場合は、表示部４０ａ１は通水と同時に半点灯の状態から点滅状態に変化し、所定流量範囲で一定時間流れるまでは、電極洗浄水が混入しているため、不適な水と判断して表示部４０（実施形態では表示部４０ａ１）を点滅させる。同時に、この状態の水は飲用すると体に害を及ぼす危険性があるので、警告音発生部４８にて警告音を発生させて警告するようになっている。
【００６７】
この実施形態の他に、表示部４０内に適した水であることを表示する第１のランプと、不適な水であることを表示する第２のランプを有した実施形態においては、上記のように電極洗浄水が混入して不適な水であると判断されている間、第２のランプを表示し、適した水と判断された時には第１のランプを表示するようにしてもよい。
【００６８】
また、複数の異なる色のランプを有している実施形態においては、上記のように電極洗浄水が混入して不適な水であると判断されている時と、適した水であると判断されている時とで単一の点灯又は複数のランプの同時点灯によりランプの色を自在に可変して知らせるようにしてもよいものである。
【００６９】
【発明の効果】
上記のように本発明の請求項１記載の発明にあっては、選択されたモードをそれぞれ表示する複数のモードに応じた複数の表示部を設け、該複数の表示部が、モード選択操作を行うための光を透過させる押圧操作部の内側にランプとスイッチ素子とを内蔵したスイッチ一体型のものであり、いずれかの表示部を押すとスイッチ素子が操作されて当該表示部に対応するモードが選択され、選択されたモードで得られた水が適切に生成されているか否かを判断するための信号を発信する水質検出手段と、水質検出手段からの信号により得られる水が適切に生成されているか否かを判断する制御部と、制御部により適した水と判断された時と不適の水と判断された時とで選択された表示部のランプによる表示を変更することを知らせる告知手段を有しているので、選択されたモードを表示する表示部で適した水であるか不適な水であるかの告知ができて、使用者は一目で容易に適した水であるか不適な水であるかの認識ができ、簡単な構成で見落としや誤認識することが無くなり、特に、使用者は複数のモードに応じた複数の表示部のいずれかを選択して押圧操作部を操作してモードの選択操作を行うのであるが、このモードの選択操作を行う押圧操作部そのものから光の表示により適した水であるか不適な水であるかの認識ができて、簡単な構成でより認識しやすくできるものである。また、適した水であるか不適な水であるかを告知する場所が限定され、より一目で容易に適した水であるか不適な水であるかの判断ができるものである。上記の結果、得ようとする情報の認識性を高め、電解水が適切に生成されているかどうかが容易に認識でき、使用性が向上するものである。
【００７１】
また、請求項２記載の発明にあっては、上記請求項１記載の発明の効果に加えて、水質検出手段が流量センサであって、制御部により水質検出手段からの信号により規定内の流量領域か否かを判別し、否の信号が入力された時に過剰流量域である旨を表示する異常表示部にて表示することにより知らしめる告知手段を有するので、電解水生成装置に流れ込む流量領域が規定内であるかどうかを見て適した水であるか不適な水であるかの判断ができて、過剰流量時での電解性能不足を正確に告知することができるものである。
【００７３】
また、請求項３記載の発明にあっては、上記請求項１又は請求項２記載の発明の効果に加えて、水質検出手段が流量センサであって、所定流量範囲で一定時間以上流れた時に制御部により適した水であると判断し、それ以外は不適と判断するようにしてあるので、電解水生成装置に流れ込んだ総流量が一定量以上であるかどうかを見て判断するので、電解水生成装置内に滞留した水と新しく流れ込んだ水とが入れ替わった場合にのみ、適した水として認識することができて、流量センサで流量を検出するという簡単な構成で適した水と適していない水との判断ができるものである。
【００７４】
また、請求項４記載の発明にあっては、上記請求項１乃至請求項３のいずれかに記載の発明の効果に加えて、前記告知手段が、不適な水の時に警告音を発生させるようにした警告音発生部によりなるので、表示による適した水であるか不適な水であるかの認識に加えて音によっても認識ができ、より見落としや誤認識することが無くなるものである。
【００７５】
また、請求項５記載の発明にあっては、上記請求項１乃至請求項４のいずれかに記載の発明の効果に加えて、前記表示部が単一色のランプを有し、前記制御部が適した水であるか不適な水であるかを異なる発光状態で表示するように制御してあるので、適した水であるか不適な水であるかの表示が発光状態によって異なるので発光状態の違いにより一目で容易に認識することができるものである。
【００７６】
また、請求項６記載の発明にあっては、上記請求項１乃至請求項４のいずれかに記載の発明の効果に加えて、前記表示部が、適した水であることを表示する第１のランプと、不適な水であることを表示する第２のランプとを有し、それぞれのランプの色を異なるものとし、適した水と判断された時に第１のランプを、不適な水と判断された時に第２のランプを光らせるように制御するものであるので、適した水であるか不適な水であるかの表示がランプの色により異なり、一目で容易に認識できるものである。
【００７７】
また、請求項７記載の発明にあっては、上記請求項１乃至請求項４、請求項６のいずれかに記載の発明の効果に加えて、前記表示部は、複数の異なる色を発するランプを有し、前記制御部は前記ランプの単一点灯又は複数のランプの同時点灯により適した水である場合と不適な水である場合とで光の色を異なるように制御するので、適した水であるか不適な水であるかの表示がランプの数以上の幾種類もの色により表示することができ、不適な水の状態を更に細かく識別することも可能となり、より一目で容易に認識することができるものである。
【００７８】
また、請求項８記載の発明にあっては、上記請求項１乃至請求項７のいずれかに記載の発明の効果に加えて、前記表示部は、電気分解した時とは極性を反転させて電極を洗浄するモード時に表示する電極洗浄中ランプを兼用しているので、適した水であるか不適な水であるかの判定に加えて、簡単な構成で電極洗浄中であることの認識も同表示で認識できて、より一目で容易に認識することができるものである。
【図面の簡単な説明】
【図１】本発明の電解水生成装置の配管系統図である。
【図２】同上の操作表示部の概略平面図である。
【図３】同上の一部の断面図である。
【図４】同上の全体斜視図である。
【図５】同上の概略制御ブロック図である。
【図６】（ａ）（ｂ）（ｃ）はそれぞれフローチャートである。
【符号の説明】
１  電解水生成装置
４０  表示部
４２  押圧操作部
４４  ランプ
４５  スイッチ素子
４６  電極洗浄中ランプ
４８  警告音発生部
４９  制御部
６０  流量センサ
６２  電解槽
６６  陽極
６７  陰極
【図１】
0003882509.tif 000002
【図２】
0003882509.tif 000003
【図３】
0003882509.tif 000004
【図４】
0003882509.tif 000005
【図５】
0003882509.tif 000006
【図６】
0003882509.tif 000007